(57)【特許請求の範囲】
【請求項１】
高沸点炭化水素供給原料を、石油化学製品の処理のための供給原料として適したより軽沸点の炭化水素生成物に転換する方法であって、
重質炭化水素供給原料を、少なくとも２つの水素化分解ユニットを含む水素化分解ユニットのカスケードへ供給するステップと、
水素化分解ユニット内で前記供給原料を分解するステップと、
前記分解した供給原料を、水素を含む流れと、軽沸点炭化水素留分を含む流れと、より重質な炭化水素留分を含む底部の流れに分離するステップと、
前記水素化分解ユニットの前記底部の流れを、前記水素化分解ユニットのカスケード内の後続の水素化分解ユニットのための供給原料として供給するステップであって、ここで、前記水素化分解ユニットのそれぞれの処理条件が互いに異なり、第１の水素化分解ユニットから後続の１つまたは複数の水素化分解ユニットまでの温度条件が上昇し、前記水素化分解ユニットのカスケード内の最後の水素化分解ユニットの反応器タイプの設計がスラリー相タイプのものであるステップと、
前記水素化分解ユニットのそれぞれからの軽沸点の炭化水素留分を、ペンタン脱水素化ユニット、プロパン脱水素化ユニット、ブタン脱水素化ユニットおよび混合したプロパン−ブタン脱水素化ユニットの群から選択される１つ以上のユニットと、ガススチームクラッキングユニットとを少なくとも備える石油化学製品の処理へ送るステップと、を備え、
前記軽沸点の炭化水素留分を、Ｃ１を含む流れと、Ｃ２を含む流れと、Ｃ３を含む流れと、Ｃ４を含む流れとに分離するステップと、前記Ｃ３を含む流れをプロパン脱水素化ユニットへ供給するステップと、前記Ｃ４を含む流れをブタン脱水素化ユニットへ供給するステップと、Ｃ２を含む流れをガススチームクラッキングユニットへ供給するステップとをさらに備えることを特徴とする方法。
【請求項２】
前記水素化分解ユニットのカスケード内のすべての水素化分解ユニットからのより軽沸点の炭化水素留分が、沸点がメタンの沸点より高く、かつシクロブタンの沸点以下である炭化水素である請求項１に記載の方法。
【請求項３】
石油化学製品の処理が、芳香族化ユニット、アルキル化処理、高過酷度の接触分解（高過酷度のＦＣＣを含む）、軽質ナフサ芳香族化（ＬＮＡ）、改質およびマイルドハイドロクラッキングの群の１つ以上をさらに含む請求項１乃至２のいずれか１項に記載の方法。
【請求項４】
前記水素を含む流れを、前記１つまたは複数の水素化分解ユニットのカスケード内の水素化分解ユニットへ供給するステップをさらに備える請求項１乃至３のいずれか１項に記載の方法。
【請求項５】
前記水素を、前記水素化分解ユニットのカスケード内の先行するハイドロクラッカーユニットへ供給するステップをさらに備える請求項４に記載の方法。
【請求項６】
前記重質炭化水素供給原料が、原油常圧蒸留ユニット（ＡＤＵ）からのカットおよび精錬機プロセスからの生成物の群から選択される請求項１乃至５のいずれか１項に記載の方法。
【請求項７】
前記原油常圧蒸留ユニット（ＡＤＵ）からのカットが、ナフサ、ＡＤＵの底部の流れおよび常圧軽油の群から選択される請求項６に記載の方法。
【請求項８】
前記精錬機プロセスからの生成物が、ＦＣＣユニットからの循環油および重質分解したナフサの群から選択される請求項６乃至７のいずれか１項に記載の方法。
【請求項９】
前記水素化分解ユニットに先行して水素化処理ユニットがあり、前記水素化処理ユニットの底部の流れが前記第１の水素化分解ユニットのための供給原料として使用される請求項１乃至８のいずれか１項に記載の方法。
【請求項１０】
前記水素化処理ユニットで使われる温度は、前記第１の水素化分解ユニットでの温度より高い請求項９に記載の方法。
【請求項１１】
水素化分解ユニットのカスケードに存在する触媒の粒径が、第１の水素化分解ユニットから後続の１つまたは複数の水素化分解ユニットに向かって減少する請求項１乃至１０のいずれか１項に記載の方法。
【請求項１２】
水素化分解ユニットのカスケード内の温度が上昇し、前記第２の水素化分解ユニットで使われる温度が、前記水素化処理ユニットのものより高い請求項９乃至１１のいずれか１項に記載の方法。
【請求項１３】
水素化分解ユニットの反応器タイプの設計が、固定床タイプ、沸騰床反応器タイプおよびスラリー相タイプの群から選択される請求項１乃至１２のいずれか１項に記載の方法。
【請求項１４】
前記水素化処理ユニットの反応器タイプの設計が固定床タイプのものである請求項９乃至１３のいずれか１項に記載の方法。
【請求項１５】
前記第１の水素化分解ユニットの反応器タイプの設計が沸騰床反応器タイプのものである請求項９乃至１４のいずれか１項に記載の方法。
【請求項１６】
最後の水素化分解ユニットの底部の流れが、前記最後の水素化分解ユニットの入口へ再循環される請求項１乃至１５のいずれか１項に記載の方法。
【発明の詳細な説明】
【技術分野】
【０００１】
本発明は、高沸点炭化水素供給原料をより軽沸点の炭化水素生成物に転換する方法に関する。より詳細には、本発明は、炭化水素、特に、例えば常圧蒸留ユニットまたは流動接触分解ユニット（ＦＣＣ）などの精錬機の運転に由来する炭化水素を、沸点がシクロブタンの沸点以下であるより軽沸点の水素化分解炭化水素に転換する方法に関する。
【背景技術】
【０００２】
米国特許第４，１３７，１４７号明細書は、蒸留点が約３６０℃より低く、１分子当たり少なくとも４個の炭素原子を有するノルマルパラフィン類およびイソパラフィン類を少なくとも含有する装入物からエチレンおよびプロピレンを製造する方法に関する。水素化分解区域内で、触媒の存在下で装入物の水素化分解反応が行われ、（ｂ）水素化分解反応からの流出物は分離区域へ供給され、該分離区域から、（ｉ）頂部からのメタンおよび場合により水素、（ｉｉ）１分子当たり２および３個の炭素原子を有する炭化水素から本質的になる留分、並びに（ｉｉｉ）底部からの１分子当たり少なくとも４個の炭素原子を有する炭化水素から本質的になる留分が排出され、（ｃ）１分子当たり２および３個の炭素原子を有する炭化水素から本質的になる留分のみ、水蒸気の存在下でスチームクラッキング区域に供給されて、１分子当たり２および３個の炭素原子を有する炭化水素の少なくとも一部をモノオレフィン系炭化水素へ変換し；分離区域の底部から得られた、１分子当たり少なくとも４個の炭素原子を有する炭化水素から本質的になる留分は、第２の水素化分解区域へ供給され、そこで触媒の存在下で処理され、第２の水素化分解区域からの流出物は分離区域に供給されて、一方では１分子当たり少なくとも４個の炭素原子を有する炭化水素を排出し、その少なくとも一部が第２の水素化分解区域へ再循環され、他方では、水素、メタン、および１分子当たり２および３個の炭素原子を有する飽和炭化水素の混合物から本質的になる留分を排出し；水素の流れとメタン流れが混合物から分離され、２および３個の炭素原子を有する、混合物の炭化水素が、第１の水素化分解区域に続く分離区域から回収された１分子当たり２および３個の炭素原子を有する炭化水素から本質的になる留分と共にスチームクラッキング区域へ供給される。このようにして、スチームクラッキング区域の出口において、メタンおよび水素の流れと、１分子当たり２および３個の炭素原子を有するパラフィン系炭化水素の流れに加えて、１分子当たり２および３個の炭素原子を有するオレフィンと、１分子当たり少なくとも４個の炭素原子を有する生成物が得られる。
【０００３】
米国特許第３，６６０，２７０号明細書は、ガソリンを製造する方法であって、第１の転換区域内で石油留分を水素化分解するステップと、第１の転換区域からの流出物を軽質ナフサ留分と、最初の沸点が１８０〜２８０Ｆ°であり、終わりの沸点が約５００〜６００Ｆ°である第２の留分と、第３の重質留分とに分離するステップと、第２の転換区域内で、触媒の存在下で第２の留分を水素化分解し、脱水素化するステップと、第２の転換区域から少なくとも１つのナフサ生成物を回収するステップと、を備える方法に関する。
【０００４】
米国特許出願公開第２００９／１５９４９３号明細書は、炭化水素供給原料を水素化処理する方法であって、単一の反応ループ内の多数の水素化処理区域を使用することを備え、各区域が１つ以上の触媒床を有する方法に関する。この方法によれば、新鮮な供給物が、固定床水素化処理装置反応器の頂部へ流される。水素が、固定床水素化処理装置反応器の第１の床と第２の床との間、並びに第２の床と第３の床との間に添加される。水素化処理したジェットおよびディーゼル範囲の材料が、液体の流れとして高圧で回収され、水素化分解反応器へ汲み上げられる。水素が、水素化分解反応器の第１の床と第２の床との間、並びに第２の床と第３の床との間に添加される。
【０００５】
米国特許第５，６０３，８２４号明細書は、水素化分解、脱ろうおよび脱硫がすべて単一の、直立の２床反応器内で起こる統合した水素化処理方法であって、蒸留物が重質留分と軽質留分に分割され、頂部の反応器の床において、該重質留分が水素化分解され、その一部が脱硫され、その後、頂部の床からの流出物が軽質留分と混合され、流動点を低下させるための脱ろうおよび更なる脱硫が起こる底部の反応器の床に流れる方法に関する。
【０００６】
従来、原油は、蒸留により、ナフサ、軽油および残油などの多くのカットに処理される。これらのカットは、それぞれ、ガソリン、ディーゼルおよびケロシンなどの輸送燃料の製造用、またはいくつかの石油化学製品および他の処理ユニットへの供給物としてなどの多くの可能性のある用途を有する。
【０００７】
ナフサのものおよびいくつかの軽油などの軽質原油カットは、スチームクラッキングなどのプロセスにより、軽質オレフィンおよび単環芳香族化合物を製造するために使用でき、該スチームクラッキングでは、炭化水素供給物の流れが蒸発し、蒸気で希釈され、その後、短い滞留時間（＜１秒）の炉（反応器）の管内で非常に高い温度（８００℃〜８６０℃）に曝される。そのようなプロセスにおいて、供給物中の炭化水素分子は、供給物の分子と比較した場合に、（平均で）より短い分子と、炭素に対する水素の比率がより低い分子（オレフィンなど）に変換される。このプロセスは、有用な副生成物としての水素、並びにメタンおよびＣ９＋芳香族分および縮合芳香族種（辺を共有する２つ以上の芳香族環を含有する）などの価値がより低い副産物も多く生成する。
【０００８】
典型的には、残油などの、より重質な（またはより高い沸点の）芳香族に富んだ流れが、原油精錬機内でさらに処理されて、原油からのより軽質な（蒸留可能な）生成物の生産量を最大化する。この処理は、水素化分解などのプロセスによって実施できる（ハイドロクラッカー供給物が、水素の同時添加でより短い炭化水素分子に壊れた供給物分子のいくつかの留分を生じる条件下で、適した触媒に曝される）。重質な精錬機の流れの水素化分解は、典型的には、高い圧力および温度で実施され、それ故にその資本コストが高い。
【０００９】
残油などの重質な精錬機の流れの従来の水素化分解の側面として、典型的には、所望の全部の転換を達成するように選択される妥協条件の下で実施されることがある。供給物の流れが、分解するのが容易な範囲で種の混合物を含有することから、これによって、比較的容易に水素化分解される種の水素化分解によって形成された蒸留可能な生成物の一部の留分が、水素化分解がより困難である種を水素化分解するのに必要な条件下でさらに転換されることになる。これは、プロセスと関連した水素消費および熱管理の困難性を増加させ、より有益な種を犠牲にして、メタンなどの軽質分子の収量も増加させる。
【００１０】
米国特許出願公開第２０１２／０１２５８１３号明細書、米国特許出願公開第２０１２／０１２５８１２号明細書および米国特許出願公開第２０１２／０１２５８１１号明細書は、蒸発ステップと、蒸留ステップと、コーキングステップと、水素化処理ステップと、スチームクラッキングステップとを備える重質炭化水素供給物を分解する方法に関する。例えば、米国特許出願公開第２０１２／０１２５８１３号明細書は、重質炭化水素供給物をスチームクラッキングして、エチレン、プロピレン、Ｃ４オレフィン、熱分解ガソリン、および他の生成物を製造する方法に関し、炭化水素、すなわち、エタン、プロパン、ナフサ、軽油、または他の炭化水素留分などの炭化水素供給物の混合物のスチームクラッキングは、エチレン、プロピレン、ブテン、ブタジエンなどのオレフィン、並びにベンゼン、トルエン、およびキシレンなどの芳香族分を製造するのに広く使用されている非触媒の石油化学的なプロセスである。
【００１１】
米国特許出願公開第２００９／００５０５２３号明細書は、水素化分解運転と一体化するように、液体全原油および／または天然ガス由来の凝縮物を熱分解炉内で熱分解することによるオレフィンの形成に関する。
【００１２】
米国特許出願公開第２００８／００９３２６１号明細書は、原油精錬機と一体化するように、液体全原油および／または天然ガス由来の凝縮物を熱分解炉内で炭化水素熱分解することによるオレフィンの形成に関する。
【発明の概要】
【００１３】
本発明の目的は、高沸点炭化水素供給原料をより軽沸点の炭化水素生成物に転換する方法を提供することにある。
【００１４】
本発明の別の目的は、高沸点の炭化水素供給原料を、メタンを最小限にしつつ、より軽沸点の炭化水素生成物、特にＬＰＧに転換する方法を提供することにある。
【００１５】
本発明の別の目的は、更なる化学的な処理のための供給原料として使用できる、軽沸点の炭化水素生成物を製造する方法を提供することにある。
【００１６】
本発明の別の目的は、メタンおよびＣ９＋芳香族種などの低価値の生成物の生成を最小限にした、高沸点の炭化水素供給物を高価値の生成物に転換する方法を提供することにある。
【００１７】
本発明は、高沸点炭化水素供給原料を、石油化学製品の処理のための供給原料として適したより軽沸点の炭化水素生成物に転換する方法であって、
重質炭化水素供給原料を、１つまたは複数の水素化分解ユニットのカスケードへ供給するステップと、
水素化分解ユニット内で前記供給原料を分解するステップと、
前記分解した供給原料を、水素を含む流れと、軽沸点炭化水素留分を含む流れと、より重質な炭化水素留分を含む底部の流れに分離するステップと、
前記水素化分解ユニットの前記底部の流れを、前記１つまたは複数の水素化分解ユニットのカスケード内の後続の水素化分解ユニットのための供給原料として供給するステップであって、ここで、１つまたは複数の水素化分解ユニットのそれぞれの処理条件が互いに異なり、第１の水素化分解ユニットから後続の１つまたは複数の水素化分解ユニットまでの水素化分解条件は、最も過酷でないものから最も過酷なものまで上昇し、前記１つまたは複数の水素化分解ユニットのカスケード内の最後の水素化分解ユニットの反応器タイプの設計がスラリー相タイプのものであるステップと、
１つまたは複数の水素化分解ユニットのそれぞれからの軽沸点の炭化水素留分を、ペンタン脱水素化ユニット、プロパン脱水素化ユニット、ブタン脱水素化ユニットおよび混合したプロパン−ブタン脱水素化ユニットの群から選択される１つ以上のユニットと、スチームクラッキングユニットとを少なくとも備える石油化学製品の処理へ送るステップと、を備えることを特徴とする方法に関する。
【００１８】
前記１つまたは複数の水素化分解ユニットのカスケード内のすべての水素化分解ユニットからのより軽沸点の炭化水素留分が、シクロブタンの沸点、または好ましい実施形態ではメチルプロパン（イソブタン）の沸点より沸点が低い炭化水素であることが好ましい。別の実施形態によれば、前記１つまたは複数の水素化分解ユニットのカスケード内のすべての水素化分解ユニットからのより軽沸点の炭化水素留分が、沸点がＣ５より低い、より好ましくはＣ６より低い炭化水素である。
【００１９】
別の実施形態によれば、水素化分解ユニットのカスケード内に存在する水素化分解ユニットのそれぞれが、より軽質な生成物の特定の収量分布に最適化され、例えば、主にプロパンを製造するための１つの水素化分解ユニットと、主にブタンを製造するための別の水素化分解ユニットである。軽沸点の炭化水素留分の組成が異なるそのような実施形態では、軽沸点の炭化水素留分を別々にさらに処理することが好ましい。
【００２０】
本明細書において、「１つまたは複数の水素化分解ユニットのカスケード」とは、一連の水素化分解ユニットを意味する。水素化分解ユニットは、分離ユニット、すなわち、分解した供給原料を、軽沸点炭化水素留分を含む頂部の流れと、重質炭化水素留分を含む底部の流れとに分離するユニットによって左右に分けられる。また、そのような水素化分解ユニットの重質炭化水素留分を含む底部の流れは、後続の水素化分解ユニットのための供給原料である。そのような構造は、数個の触媒床が垂直に配置され、１つの床からの流出物が別の床へ、すなわち頂部の床から底部の床へつながる構造とは異なり、これは、そのようなカスケードは、完了した流出物の抜き取りの中間ステップ、並びに軽沸点炭化水素留分を含む頂部の流れと、後続の水素化分解ユニットのための供給原料である重質炭化水素留分を含む底部の流れへの該流出物の分離を採用しないからである。ここでの分離ユニットは数個の分離セクションを含んでもよい。
【００２１】
石油化学製品の処理は、さらに好ましくは、アルキル化処理、高過酷度の接触分解（高過酷度のＦＣＣを含む）、軽質ナフサ芳香族化（ＬＮＡ）、改質およびマイルドハイドロクラッキングの群から選択される１つ以上を含む。
【００２２】
前述した石油化学製品の処理の選択は、軽沸点の炭化水素留分の組成次第である。例えば主にＣ５を含む流れが得られる場合、ペンタン脱水素化ユニットが好ましい。さらに、そのような主にＣ５を含む流れは、プロピレンおよびエチレンの製造のための高過酷度の接触分解（高過酷度のＦＣＣを含む）へ送ることもできる。例えば主にＣ６を含む流れが得られる場合、軽質ナフサ芳香族化（ＬＮＡ）、改質およびマイルドハイドロクラッキングなどの処理が好ましい。
【００２３】
好ましい実施形態によれば、本方法は、前記軽沸点の炭化水素留分を、Ｃ１を含む流れと、Ｃ２を含む流れと、Ｃ３を含む流れと、Ｃ４を含む流れとに分離するステップと、好ましくは前記Ｃ３を含む流れをプロパン脱水素化ユニットへ供給するステップと、好ましくは前記Ｃ４を含む流れをブタン脱水素化ユニットへ供給するステップと、をさらに備える。
【００２４】
Ｃ２を含む流れが、好ましくはガススチームクラッカーユニットへ供給される。
【００２５】
したがって、本方法は、特定の石油化学製品の処理として、ガススチームクラッカーユニットと、ブタン脱水素化ユニット、プロパン脱水素化ユニット、混合プロパン−ブタン脱水素化ユニットまたはこれらのユニットの組み合わせの群から選択される少なくとも１つのユニットとの組み合わせを含み、混合した生成物の流れを生成する。このようにユニットを組み合わせることで、高収量の所望の生成物、すなわちオレフィン性石油化学製品および芳香族石油化学製品が提供され、ＬＰＧへ転換される原油の部分がかなり増加する。
【００２６】
好ましい実施形態によれば、軽沸点の炭化水素留分を含む流れが１つ以上の流れに分離され、水素を含む流れが好ましくは水素化分解のための水素源として使用され、メタンを含む流れが好ましくは燃料源として使用され、エタンを含む流れが好ましくはガススチームクラッキングユニットのための供給物として使用され、プロパンを含む流れが好ましくはプロパン脱水素化ユニットのための供給物として使用され、ブタンを含む流れが好ましくはブタン脱水素化ユニットのための供給物として使用され、Ｃ１−マイナスを含む流れが好ましくは燃料源および／または水素源として使用され、Ｃ３−マイナスを含む流れが好ましくはプロパン脱水素化ユニットのための供給物として使用されるが、別の実施形態によれば、ガススチームクラッキングユニットのための供給物としても使用され、Ｃ２−Ｃ３を含む流れが好ましくはプロパン脱水素化ユニットのための供給物として使用されるが、別の実施形態によれば、ガススチームクラッキングユニットのための供給物としても使用され、Ｃ１−Ｃ３を含む流れが好ましくはプロパン脱水素化ユニットのための供給物として使用されるが、別の実施形態によれば、ガススチームクラッキングユニットのための供給物としても使用され、Ｃ１−Ｃ４ブタンを含む流れが好ましくはブタン脱水素化ユニットのための供給物として使用され、Ｃ２−Ｃ４ブタンを含む流れが好ましくはブタン脱水素化ユニットのための供給物として使用され、Ｃ２−マイナスを含む流れが好ましくはガススチームクラッキングユニットのための供給物として使用され、Ｃ３−Ｃ４を含む流れが、好ましくはプロパン脱水素化ユニット、またはブタン脱水素化ユニット、または混合プロパンおよびブタン脱水素化ユニットのための供給物として使用され、Ｃ４−マイナスを含む流れが好ましくはブタン脱水素化ユニットのための供給物として使用される。
【００２７】
本方法によれば、前記１つまたは複数の水素化分解ユニットのカスケード内のすべての水素化分解ユニットからのより軽沸点の炭化水素留分が、沸点がメタンの沸点より高く、シクロブタンの沸点以下である炭化水素であることが好ましい。
【００２８】
本発明に従い、炭化水素供給原料、例えば原油が分別蒸留塔（ＡＤＵ）へ供給され、他の石油化学製品の処理（スチームクラッカーまたは脱水素化ユニットなど）に適した材料の収量を、水素化分解の他の段階を必要とすることなく最大化するように選択された（ますます厳しい）運転条件／触媒等の範囲を持つ一連（またはカスケード）の水素化分解処理反応器へ、沸点が１２℃（シクロブタンの沸点）より高い温度である材料が供給される。水素化分解の各ステップの後、残存する重質材料（沸点＞１２℃）がより軽質な生成物から分離され、より重質な材料のみ、次のより過酷な水素化分解の段階へ供給され、一方で、より軽質な材料は分離され、それ故に、更なる水素化分解に曝されない。このより軽質な材料（沸点＜１２℃）は、スチームクラッキング、脱水素化処理またはこれらの処理の組み合わせなどの他の処理へ供給される。本願の実験の部において本発明をより詳細に説明する。
【００２９】
本発明者らは、所望の生成物（沸点がメタンより高く、かつシクロブタンより低い材料）の最終的な収量を最大化し、資本および関連する運転コストを最小限に抑えるように、水素化分解カスケードの各ステップを最適化する（選択された運転条件、触媒タイプおよび反応器設計により）。
【００３０】
水素化分解ユニットのすべてからのより軽沸点の炭化水素留分を混合し、石油化学製品の処理のための供給原料として、それらを処理することが好ましい。
【００３１】
本方法は、より軽沸点の炭化水素生成物から水素を分離するステップと、そのようにして分離された水素を、１つまたは複数の水素化分解ユニットのカスケード内の水素化分解ユニットへ供給するステップとをさらに備え、該分離された水素は、好ましくは、１つまたは複数の水素化分解ユニットのカスケード内の先行のハイドロクラッカーユニットへ供給される。
【００３２】
炭化水素供給原料は、ナフサ、原油常圧蒸留ユニット（ＡＤＵ）の底部の流れ、常圧軽油などのＡＤＵからのカットや、ＦＣＣユニットからの循環油または重質分解したナフサなどの精錬機プロセスからの生成物であり得る。
【００３３】
水素化分解ユニットの本カスケードは、好ましくは少なくとも２つの水素化分解ユニットを備え、好ましくは前記水素化分解ユニットに先行して水素化処理ユニットがあり、前記水素化処理ユニットの底部の流れは、前記第１の水素化分解ユニットのための供給原料として使用され、特に、前記水素化処理ユニットで使われる温度は、前記第１の水素化分解ユニットでの温度より高い。
【００３４】
さらに、第１の水素化分解ユニット内の温度が、第２の水素化分解ユニット内の温度より低いことが好ましい。
【００３５】
さらに、水素化分解ユニットのカスケードに存在する触媒の粒径が、第１の水素化分解ユニットから後続の１つまたは複数の水素化分解ユニットに向かって減少することも好ましい。
【００３６】
好ましい実施形態によれば、水素化分解ユニットのカスケード内の温度が上昇し、前記第２の水素化分解ユニットで使われる温度が、前記水素化処理ユニットのものより高い。
【００３７】
１つまたは複数の本水素化分解ユニットの反応器タイプの設計が、固定床タイプ、沸騰床反応器タイプおよびスラリー相タイプの群から選択される。これは、１番目に固定床水素化処理装置、続いて固定床ハイドロクラッカー、続いて沸騰床ハイドロクラッカー、続いてスラリーハイドロクラッカーである最後のハイドロクラッカーなどの一連の非類似のプロセスを含んでもよい。代替の方法として、前記水素化処理ユニットの反応器タイプの設計は固定床タイプのものであり、前記第１の水素化分解ユニットの反応器タイプの設計は沸騰床反応器タイプのものであり、前記第２の水素化分解ユニットの反応器タイプの設計はスラリー相タイプのものである。
【００３８】
本方法では、最後の水素化分解ユニットの底部の流れを前記最後の水素化分解ユニットの入口へ再循環させることが好ましい。
【００３９】
以下、本発明を、添付の図面と共にさらに詳細に説明する。添付の図面では、同じまたは類似の要素は、同じ符号を付して示される。
【図面の簡単な説明】
【００４０】
【図１】本発明の方法のある実施形態の略図である。
【発明を実施するための形態】
【００４１】
唯一の図１に概略的に図示したプロセスおよび装置を参照すると、原油供給物１、沸点がシクロブタンの沸点、すなわち１２℃以下である炭化水素を含む流れ２９に原油を分離するための常圧蒸留ユニット２が示されている。蒸留ユニット２を出る底部の流れ３は、水素化処理ユニット４、例えば水素処理ユニットへ供給され、そのように処理した炭化水素５は、気体の流れ８、水素を含む流れ１０、および沸点がシクロブタンの沸点以上である炭化水素を含む底部の流れ１３を生成する分離ユニット６へ送られる。分離ユニット６は単一の分離ユニットとして特定されているが、実際にはそのような分離ユニットは、いくつかの分離ユニットを含んでもよい。流れ１３は水素化分解ユニット１５に供給され、その流出物１６は、気体の流れ１８、水素を含む流れ１０、および沸点がシクロブタンの沸点以上である炭化水素を含む底部の流れ２０を生成する分離ユニット１７へ送られる。水素の補給は、参照番号４１で示される。分離ユニット１７からの流出物２０は、更なる水素化分解ユニット２２へ送られ、その流出物２３は、気体の頂部の流れ２８、水素を含む流れ１０および底部の流れ２７を生成する分離ユニット２４へ送られる。底部の流れ２７の一部は、流れ２５として、水素化分解ユニット２２の入口へ再循環できる。底部の流れ２７は、分離ユニット（図示していない）内でさらに分離できる。分離ユニット２４を出る水素を含有する流れ１０はコンプレッサーへ送られ、水素化分解ユニット２２の入口へ戻される。この図中の水素化分解ユニット２２がカスケード内の最後の水素化分解ユニットであることから、この水素化分解ユニット２２の反応器タイプの設計はスラリー相タイプのものである。
【００４２】
蒸留ユニット２から来る頂部の流れ２９、並びに流れ８、１８および２８は多数の処理ユニットへ送られる。好ましい実施形態によれば、混合した流れ２９、８、１８および２８、すなわち軽沸点の炭化水素留分は分離器セクション３０内で分離され、該セクション３０は、いくつかの分離ユニットを含んでもよい。図中では、３つの分離した流れ３１、３２、３３が示されているが、本発明は流れのいずれの数にも制限されない。流れ３３、例えばＣ２を含む流れは、ガススチームクラッカーユニット３４へ送られ、その流出物３６は、更なる分離セクション３８へ送られ、該セクション３８は、いくつかの分離ユニットを含んでもよい。流れ３１、３２は、ペンタン脱水素化ユニット、プロパン脱水素化ユニット、ブタン脱水素化ユニットおよび混合したプロパン−ブタン脱水素化ユニットの１つ以上などの脱水素化ユニット３５へ送られる。例えば、Ｃ３を含む流れはプロパン脱水素化ユニット３５へ送られ、Ｃ４を含む流れはブタン脱水素化ユニット３５へ送られる。流出物３７は更なる分離セクション３８へ送られ、該セクション３８は、いくつかの分離ユニットを含んでもよい。図示していないが、ガススチームクラッキングユニット３４および脱水素化ユニット３５に加えて、石油化学製品の処理の他の例として、芳香族化ユニット、アルキル化処理、高過酷度の接触分解（高過酷度のＦＣＣを含む）、軽質ナフサ芳香族化（ＬＮＡ）、改質およびマイルドハイドロクラッキングから選択される１つ以上がある。分離セクション３８は個々の流れ３９、４０、４１を生成する。個々の流れ３９、４０、４１からオレフィン分および芳香族分を回収できる。３つの個々の流れ３９、４０、４１のみ示されているが、本発明は個々の流れのいずれの数にも制限されない。
【００４３】
ここで示されるように、混合した流れ２９、８、１８、２８を、Ｃ１を含む流れ、Ｃ２を含む流れ、Ｃ３を含む流れおよびＣ４を含む流れに分離することが可能であり、前記Ｃ３を含む流れをプロパン脱水素化ユニット３５へ供給でき、Ｃ４を含む流れをブタン脱水素化ユニット３５へ供給でき、Ｃ２を含む流れをガススチームクラッカーユニット３４へ供給できる。
【００４４】
さらに、流れ８、１８および２８の組成が、流れ８、１８および２８のそれぞれが前述した１つ以上の異なる処理ユニットへ送られるような処理条件の下で、水素化処理ユニット４、水素化分解ユニット１５および水素化分解ユニット２２を運転することもできる。図は、流れ８、１８および２８が混合され、単一の供給物としてユニット３０へ送られることを示すが、一部の実施形態では、個々の処理ユニットへ送られる別個の流れ８、１８および２８を有することが好ましい。これは、分離器セクション３０はバイパスすることができることを意味する。
【図１】
0006415588.tif 000002